(57)【要約】【課題】ラジエータの冷却性能を向上させる。【解決手段】エアガイド構造５は、車両の前方に設けられているフロントアンダーランプロテクタ１の車両の前後方向における後方に設けられており、かつ車両のエンジン２を冷却する熱搬送媒体を冷却するラジエータ５１と、ラジエータ５１の車両の高さ方向における下端又は下端よりも下方に設けられており、かつフロントアンダーランプロテクタ１に接する抑制部材５２と、を有する。また、抑制部材５２は、抑制部材５２の前端がフロントアンダーランプロテクタ１の後端に接している。【選択図】図１
2019189068.tif 000002
【特許請求の範囲】
【請求項１】
車両の前方に設けられているフロントアンダーランプロテクタの前記車両の前後方向における後方に設けられており、かつ前記車両のエンジンを冷却する熱搬送媒体を冷却するラジエータと、
前記ラジエータの前記車両の高さ方向における下端又は下端よりも下方に設けられており、かつ前記フロントアンダーランプロテクタに接する抑制部材と、
を有することを特徴とするエアガイド構造。
【請求項２】
前記抑制部材は、前記抑制部材の前端が前記フロントアンダーランプロテクタの後端に接していることを特徴とする、
請求項１に記載のエアガイド構造。
【請求項３】
前記抑制部材は、
前記車両の高さ方向において前記ラジエータの下端よりも下方に延伸する取付部材と、
前記取付部材に設けられており、かつ前端が前記フロントアンダーランプロテクタの後端に接するシール部材と、を有することを特徴とする、
請求項１又は２に記載のエアガイド構造。
【請求項４】
前記取付部材の前記車両の車幅方向における長さは、前記ラジエータの前記車両の車幅方向における長さ以上であり、
前記シール部材の前記車両の車幅方向における長さは、前記ラジエータの前記車両の車幅方向における長さ以上であることを特徴とする、
請求項３に記載のエアガイド構造。
【請求項５】
前記取付部材と前記シール部材とは一体に形成されていることを特徴とする、
請求項３又は４に記載のエアガイド構造。
【請求項６】
前記シール部材は、弾性を有し、
前記シール部材の前端が、前記フロントアンダーランプロテクタの後端に接している状態において、前記ラジエータの前面と前記フロントアンダーランプロテクタの後面との間の間隔を広げる向きに力を生じるように圧縮されていることを特徴とする、
請求項３から５のいずれか一項に記載のエアガイド構造。
【発明の詳細な説明】
【技術分野】
【０００１】
本開示は、車両のエアガイド構造に関する。
【背景技術】
【０００２】
従来、車両には、車両のエンジンを冷却する熱搬送媒体を冷却するラジエータが設けられている。特許文献１には、フロントアンダーランプロテクタの後方においてラジエータが設けられている構造が開示されている。
【先行技術文献】
【特許文献】
【０００３】
【特許文献１】特開２０１０−１４９６１１号公報
【発明の概要】
【発明が解決しようとする課題】
【０００４】
車両には、車両の前後方向における前方から後方に向かって、フロントアンダーランプロテクタ、ラジエータ、ファン、及びエンジンが設けられている構造がある。この構造を有する車両では、ラジエータを前方から後方に向かって通過して、エンジン冷却水と熱交換することで加熱された空気が、ラジエータの後方に設けられているエンジンに衝突して、前方に向かって流れる場合がある。この場合、前方に向かって流れる加熱された空気が、ラジエータと、ラジエータの前方に設けられているフロントアンダーランプロテクタとの間から、ラジエータの前方付近に流れ込み、ラジエータに流入することで、ラジエータの冷却性能が低下してしまうことがある。
【０００５】
そこで、本開示はこれらの点に鑑みてなされたものであり、ラジエータの冷却性能を向上させるエアガイド構造を提供することを目的とする。
【課題を解決するための手段】
【０００６】
本開示の第１の態様においては、車両の前方に設けられているフロントアンダーランプロテクタの前記車両の前後方向における後方に設けられており、かつ前記車両のエンジンを冷却する熱搬送媒体を冷却するラジエータと、前記ラジエータの前記車両の高さ方向における下端又は下端よりも下方に設けられており、かつ前記フロントアンダーランプロテクタに接する抑制部材と、を有することを特徴とするエアガイド構造を提供する。
【０００７】
また、前記抑制部材は、前記抑制部材の前端が前記フロントアンダーランプロテクタの後端に接していてもよい。また、前記抑制部材は、前記車両の高さ方向において前記ラジエータの下端よりも下方に延伸する取付部材と、前記取付部材に設けられており、かつ前端が前記フロントアンダーランプロテクタの後端に接するシール部材と、を有していてもよい。
【０００８】
また、前記取付部材の前記車両の車幅方向における長さは、前記ラジエータの前記車両の車幅方向における長さ以上であり、前記シール部材の前記車両の車幅方向における長さは、前記ラジエータの前記車両の車幅方向における長さ以上であってもよい。
【０００９】
また、前記取付部材と前記シール部材とは一体に形成されていてもよい。また、前記シール部材は、弾性を有し、前記シール部材の前端が、前記フロントアンダーランプロテクタの後端に接している状態において、前記ラジエータの前面と前記フロントアンダーランプロテクタの後面との間の間隔を広げる向きに力を生じるように圧縮されていてもよい。
【発明の効果】
【００１０】
本開示によれば、ラジエータの冷却性能を向上させることができるという効果を奏する。
【図面の簡単な説明】
【００１１】
【図１】本実施形態に係るエアガイド構造が車両に設けられている状態を示す。
【図２】本実施形態に係るエアガイド構造が車両に設けられている状態の断面図である。
【図３】抑制部材付近の拡大図である。
【発明を実施するための形態】
【００１２】
＜本実施形態＞
［エアガイド構造５の周辺構成］
図１は、本実施形態に係るエアガイド構造５が車両に設けられている状態を示す図である。図２は、本実施形態に係るエアガイド構造５が車両に設けられている状態の断面図である。図３は、抑制部材５２付近の拡大図である。
車両は、フロントアンダーランプロテクタ１、エンジン２、ファン３、インタークーラ４、及びエアガイド構造５を有する。
【００１３】
図２及び図３に示すフロントアンダーランプロテクタ１は、車両に対する前方からの衝突時に衝撃を吸収し、他車両が自車両の下部へ潜り込むことを防止するための部材である。フロントアンダーランプロテクタ１は、金属製で、断面が略四角形状であり、内部に空洞を有する。フロントアンダーランプロテクタ１は、車両の前方に設けられている。
【００１４】
具体的には、フロントアンダーランプロテクタ１は、車両の車幅方向において延伸し、サイドメンバの長手方向における車両の前方付近に設けられている。サイドメンバは、車両の前後方向において延伸する部材である。車両は、例えば車両の前後方向において平行に延伸する２本のサイドメンバを有する。フロントアンダーランプロテクタ１は、例えば図示しない取付部材を介してサイドメンバに固定されている。
【００１５】
フロントアンダーランプロテクタ１の前面及び後面は、例えば車両の高さ方向において延伸している。フロントアンダーランプロテクタ１の上面及び下面は、例えば車両の前後方向において延伸している。
【００１６】
フロントアンダーランプロテクタ１は、車両の高さ方向における車両に設けられている位置が、車両によって異なる場合がある。図３に示すように、フロントアンダーランプロテクタ１は、例えば、車両の高さ方向における最も低い位置に設けられている場合のフロントアンダーランプロテクタである。図３において点線で示すフロントアンダーランプロテクタ１ａは、例えば車両の高さ方向における最も高い位置に設けられている場合のフロントアンダーランプロテクタである。
【００１７】
エンジン２は、車両を駆動するための動力を発生する。エンジン２は、例えばガソリンエンジン又はディーゼルエンジンである。エンジン２は、燃料（例えば、ガソリン又は軽油）及び空気を供給して燃焼させることで動力を発生すると共に排気ガスを生じる。エンジン２は、車両の前後方向において、ファン３の後方に設けられている。
【００１８】
ファン３は、空気を流す送風機である。ファン３は、例えば電動ファンであり、斜流ファンである。ファン３は、ファン本体及びファンカバーを有している。ファン本体は、例えば、回転軸と回転軸の外側面に設けられている複数の羽根を有し、回転軸が回転して複数の羽根が移動することで空気を流す。ファンカバーは、ファン本体の外側に設けられており、ファン本体を内側に収容するカバーである。ファン本体は、ファンカバーの内側に収容されている。
【００１９】
ファン３は、車両の前後方向におけるラジエータ５１の後方、かつエンジン２の前方に設けられている。ファン３は、車両の前後方向における前方から後方に向かって空気を流す。車両は、例えば、低速高負荷運転時、又は停車中における外気温が非常に高い場合は、走行風では、エンジン２を冷却する冷却能力が不十分な場合がある。走行風は、例えば、車両が前方に走行しているときに生じる、車両の前後方向における前方から後方に向かう空気の流れである。
【００２０】
ファン３は、強制的に空気を流すことで、ラジエータ５１の冷却能力を向上させることができる。また、ファン３は、ファン３の後方に設けられているエンジン２に空気を流すことで、エンジン２を冷却することもできる。ファン３は、例えばエンジン２に軸を介して連結されており、エンジン２から動力を受けて回転駆動される構造であってもよい。
【００２１】
インタークーラ４は、過給機（例えばターボチャージャ）で圧縮することにより温度が上昇した空気を冷却するための装置である。過給機は、エンジン２の排気ガスを利用してエンジン２に供給する空気の圧力、すなわち密度を高める装置である。インタークーラ４は、車両の前後方向において、ラジエータ５１の前方に設けられている。
【００２２】
インタークーラ４は、車両の前後方向における前面に冷却用の空気（例えば、走行風又はファン３によって流れる空気）を流入させる空気流入口を有し、インタークーラ４の後面に当該冷却用の空気を流出させる空気流出口を有する。インタークーラ４は、車両の前後方向における前方から流入した空気（例えば、走行風又はファン３によって流れる空気）と、過給機から流れてきた温度が上昇した空気とを熱交換することで、過給機から流れてきた温度が上昇した空気を冷却する。インタークーラ４から流出する空気は、インタークーラ４において過給機から流れてきた空気の熱を奪うことで、インタークーラ４に流入する空気に比べて、温度が上昇する。
【００２３】
エアガイド構造５は、ラジエータ５１の冷却性能を向上させる。エアガイド構造５は、ラジエータ５１、及び抑制部材５２を有する。ラジエータ５１は、エンジン２を冷却する熱搬送媒体を冷却する。熱搬送媒体は、エンジン２を冷却する冷却水である。熱搬送媒体は、ラジエータ５１とエンジン２との間で循環している。ラジエータ５１は、エンジン２を流れることで加熱された熱搬送媒体を冷却する。
【００２４】
ラジエータ５１は、車両の前後方向における前面に冷却用の空気（例えば、走行風又はファン３によって流れる空気）を流入させる空気流入口を有し、ラジエータ５１の後面に当該冷却用の空気を流出させる空気流出口を有する。ラジエータ５１は、車両の前後方向における前方から流入した空気（例えば、走行風又はファン３によって流れる空気）と、エンジン２から流出した加熱された熱搬送媒体とを熱交換することで、加熱された熱搬送媒体を冷却する。ラジエータ５１で冷却された熱搬送媒体は、エンジン２に流入する。また、ラジエータ５１から流出する空気は、ラジエータ５１においてエンジン２から流出した熱搬送媒体の熱を奪うことで、ラジエータ５１に流入する空気に比べて、温度が上昇する。
【００２５】
ラジエータ５１は、フロントアンダーランプロテクタ１の車両の前後方向における後方に設けられている。また、ラジエータ５１は、車両の前後方向において、ファン３の前方、かつインタークーラ４の後方に設けられている。
【００２６】
車両の前後方向における前方から後方に流れる空気（例えば、走行風又はファン３によって流れる空気）は、インタークーラ４、ラジエータ５１、ファン３を流れてエンジン２に衝突する。当該空気は、前述したようにインタークーラ４及びラジエータ５１でそれぞれ熱交換することで加熱される。すなわち、インタークーラ４、ラジエータ５１、及びファン３を流れる空気は、ファン３の後方では、インタークーラ４の前方よりも温度が高い。
【００２７】
ファン３から後方に向かって流出した、インタークーラ４及びラジエータ５１で加熱された空気は、エンジン２の前面に衝突することで、当該加熱された空気の一部はファン３及びラジエータ５１の下方を、車両の前後方向における前方に向かって流れる（以下、インタークーラ４及びラジエータ５１で加熱された空気を「前方に向かって流れる加熱された空気」という。）。
【００２８】
抑制部材５２は、前方に向かって流れる加熱された空気が、フロントアンダーランプロテクタ１とラジエータ５１の間から、ラジエータ５１の前面付近に向かって流れることを抑制する部材である。具体的には、抑制部材５２は、前方に向かって流れる加熱された空気が、例えば、フロントアンダーランプロテクタ１とラジエータ５１との間を上方に向かって流れることを抑制する部材である。
【００２９】
抑制部材５２は、ラジエータ５１の車両の高さ方向における下端又は下端よりも下方に設けられており、かつフロントアンダーランプロテクタ１に接する。具体的には、抑制部材５２は、抑制部材５２の前端がフロントアンダーランプロテクタ１の後端に接している。エアガイド構造５は、ラジエータ５１の車両の高さ方向における下端又は下端よりも下方に設けられており、かつフロントアンダーランプロテクタ１に接する抑制部材５２を有することで、前方に向かって流れる加熱された空気が、フロントアンダーランプロテクタ１とラジエータ５１との間を上方に向かって流れることを抑制し、加熱された空気がラジエータ５１の前面付近に向かって流れることを抑制することができる。
【００３０】
この結果、エアガイド構造５は、抑制部材５２を有することで、ラジエータ５１に加熱された空気を流入させることを抑制することができるので、エアガイド構造５は、ラジエータ５１の冷却性能を向上させることができる。すなわち、エアガイド構造５は、抑制部材５２が設けられていない場合に比べて、ラジエータ５１を流れる熱搬送媒体をより冷却することができる。
【００３１】
［抑制部材５２の詳細構成］
抑制部材５２は、取付部材５２１、樹脂クリップ５２２、及びシール部材５２３を有する。取付部材５２１は、車両の高さ方向において、ラジエータ５１の下端よりも下方に延伸する。取付部材５２１は、弾性を有し、例えばＬＬＤＰＥ（Ｌｉｎｅａｒ  Ｌｏｗ  Ｄｅｎｓｉｔｙ  Ｐｏｌｙｅｔｈｙｌｅｎｅ）製である。取付部材５２１は、例えば長方形の板状である。取付部材５２１の上方の領域は、例えばラジエータ５１の前面における下端付近に接している。取付部材５２１の下方の領域は、ラジエータ５１の下端よりも下方に位置する。
【００３２】
樹脂クリップ５２２は、取付部材５２１をラジエータ５１に固定するための固定部材である。取付部材５２１は、取付部材５２１に形成されている穴と、ラジエータ５１に形成されている穴とに、樹脂クリップ５２２を圧入することで、ラジエータ５１に固定されている。複数の樹脂クリップ５２２が、車両の車幅方向において隣接して設けられている。
【００３３】
エアガイド構造５は、抑制部材５２が取付部材５２１を有することで、シール部材５２３の車両の高さ方向における位置を調整可能になる。前述したように、フロントアンダーランプロテクタ１は、車両によって車両の高さ方向において異なる位置に設けられる場合があるが、エアガイド構造５は、抑制部材５２が取付部材５２１を有することで、シール部材５２３の車両の高さ方向における位置を調整して、シール部材５２３をフロントアンダーランプロテクタ１に接するようにすることができる。
【００３４】
シール部材５２３は、取付部材５２１に設けられており、かつ前端がフロントアンダーランプロテクタ１の後端に接する部材である。シール部材５２３は、例えば取付部材５２１の前面における下端付近に設けられている。シール部材５２３の一部が、フロントアンダーランプロテクタ１の一部と接していることで、ラジエータ５１とフロントアンダーランプロテクタ１との間の隙間が生じづらくなる。シール部材５２３は、弾性を有し、例えば発泡ＥＰＤＭ（Ｅｔｈｙｌｅｎｅ  Ｐｒｏｐｙｌｅｎｅ  Ｄｉｅｎｅ  ｔｅｒｐｏｌｙｍｅｒ）製である。シール部材５２３は、取付部材５２１の前面に、例えば両面テープで接着されている。
【００３５】
シール部材５２３は、例えば車両の車幅方向において延伸する直方体形状である。シール部材５２３の形状は任意であるが、シール部材５２３は、例えば車両が走行することで生じる振動によって移動したり、又は前方に向かって流れる加熱された空気に押圧されることで移動したりしない程度の厚みを有することが望ましい。
【００３６】
シール部材５２３は、シール部材５２３の前端が、フロントアンダーランプロテクタ１の後端に接している状態において、ラジエータ５１の前面とフロントアンダーランプロテクタ１の後面との間の間隔を広げる向きに力を生じるように圧縮されている。シール部材５２３の自然長（例えば、シール部材５２３がラジエータ５１とフロントアンダーランプロテクタ１との間に設けられていない場合における、シール部材５２３の車両の前後方向における長さ）は、ラジエータ５１の前面とフロントアンダーランプロテクタ１の後面との間の長さよりも長い。しかし、シール部材５２３は、ラジエータ５１とフロントアンダーランプロテクタ１との間に設けられている場合には、このように圧縮された状態で設けられている。
【００３７】
この結果、エアガイド構造５は、シール部材５２３が圧縮されていない場合に比べて、シール部材５２３が、例えば車両が走行することで生じる振動によって移動したり、又は前方に向かって流れる加熱された空気に押圧されることで移動したりすることで、ラジエータ５１とフロントアンダーランプロテクタ１との間に隙間が生じるのを抑制することができる。
【００３８】
取付部材５２１の車両の車幅方向における長さは、ラジエータ５１の車両の車幅方向における長さ以上であってもよい。また、シール部材５２３の車両の車幅方向における長さは、ラジエータ５１の車両の車幅方向における長さ以上であってもよい。エアガイド構造５は、それぞれ、このような長さを有する取付部材５２１及びシール部材５２３を有することで、取付部材５２１の車両の車幅方向における長さ及びシール部材５２３の車両の車幅方向における長さが、ラジエータ５１の車両の車幅方向における長さよりも短い場合に比べて、前方に向かって流れる加熱された空気が、フロントアンダーランプロテクタ１とラジエータ５１の間から上方に向かって流れることをより抑制するができる。
【００３９】
また、取付部材５２１の車両の車幅方向における長さは、ラジエータ５１の車両の車幅方向における長さと同じであってもよい。また、シール部材５２３の車両の車幅方向における長さは、ラジエータ５１の車両の車幅方向における長さと同じであってもよい。
【００４０】
上記実施形態では、取付部材５２１とシール部材５２３は、それぞれ別々の部材であるとしたが、これに限定されない。取付部材５２１とシール部材５２３は、一体に形成されていてもよい。
【００４１】
また、上記実施形態では、エアガイド構造５は、取付部材５２１を有し、シール部材５２３は、取付部材５２１に設けられているとしたが、これに限定されない。エアガイド構造５は、取付部材５２１を有しておらず、シール部材５２３は、ラジエータ５１に設けられていてもよい。
【００４２】
また、上記実施形態では、シール部材５２３の前端が、フロントアンダーランプロテクタ１の後端に接している構造を示したが、これに限定されない。シール部材５２３の一部が、フロントアンダーランプロテクタ１の一部に接している構造であればよく、例えばシール部材５２３の下端がフロントアンダーランプロテクタ１の上端に接している構造であってもよいし、シール部材５２３の上端がフロントアンダーランプロテクタ１の下端に接している構造であってもよい。
【００４３】
［本実施形態に係るエアガイド構造５による効果］
本実施形態に係るエアガイド構造５は、車両の前方に設けられているフロントアンダーランプロテクタ１の車両の前後方向における後方に設けられており、かつ車両のエンジン２を冷却する熱搬送媒体を冷却するラジエータ５１と、ラジエータ５１の車両の高さ方向における下端又は下端よりも下方に設けられており、かつフロントアンダーランプロテクタ１に接する抑制部材５２と、を有する。
【００４４】
本実施形態に係るエアガイド構造５は、ラジエータ５１の車両の高さ方向における下端又は下端よりも下方に設けられており、かつフロントアンダーランプロテクタ１に接する抑制部材５２を有する。よって、エアガイド構造５は、このように設けられている抑制部材５２を有することで、前方に向かって流れる加熱された空気が、フロントアンダーランプロテクタ１の後面とラジエータ５１の前面との間に入り込み、ラジエータ５１の前面付近に流れることを抑制することができる。この結果、エアガイド構造５は、ラジエータ５１の冷却性能を向上させることができる。
【００４５】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４６】
１、１ａ・・・フロントアンダーランプロテクタ
２・・・エンジン
３・・・ファン
４・・・インタークーラ
５・・・エアガイド構造
５１・・・ラジエータ
５２・・・抑制部材
５２１・・・取付部材
５２２・・・樹脂クリップ
５２３・・・シール部材
【図１】
2019189068.tif 000003
【図２】
2019189068.tif 000004
【図３】
2019189068.tif 000005